(57)【要約】【課題】  本発明は、製造コストを削減できるポンプ装置を提供する。【解決手段】  ポンプ装置１０は、回転軸６０と、インペラ４１と、固定用ナット９０及び座金９１と、スペーサ１００と、電動モータ７０とを有している。回転軸６０は、一端部に設けられる固定部６２と、固定部６２に隣接して他端側に設けられるインペラ取付部６４とを有している。インペラ４１は、インペラ取付部６４に取り付けられる。固定用ナット９１及び座金９１は、固定部６２に固定される。スペーサ１００は、インペラ取付部６４においてインペラ４１に対して固定部６２側に取り付けられる。スペーサ１００は、座金９１とインペラ４１との間に挟持されてインペラ４１をインペラ取付部６４の所定位置に位置決めする長さを有する。電動モータ７０は、回転軸６０の他端部に固定されて回転軸６０をその軸心線回りに回転する。【選択図】図１
2016037936.tif 000002
【特許請求の範囲】
【請求項１】
一端部に設けられる固定部と、前記固定部に隣接して他端側に設けられる羽根車取付部とを具備する回転軸と、
前記羽根車取付部に取り付けられる羽根車と、
前記固定部に固定される抜け止め部材と、
前記羽根車取付部において前記羽根車に対して前記固定部側に取り付けられるスペーサであって、前記抜け止め部材と前記羽根車との間に挟持されて前記羽根車を前記羽根車取付部の所定位置に位置決めする長さを有するスペーサと、
前記回転軸の他端部に固定されて前記回転軸をその軸心線回りに回転する駆動装置と
を具備することを特徴とするポンプ装置。
【請求項２】
一端部に設けられる固定部と、前記固定部に対して他端側に設けられる羽根車取付部とを具備する回転軸と、
前記羽根車取付部に取り付けられる羽根車と、
前記固定部に固定される被固定部と、前記被固定部と一体に形成されるとともに前記羽根車取付部において前記羽根車に対して前記固定部側に取り付けられて前記羽根車を前記羽根車取付部の所定位置に位置決めする長さを有するスペーサとを具備する固定用スペーサと、
前記回転軸の他端部に固定されて前記回転軸をその軸心線回りに回転する駆動装置と
を具備することを特徴とするポンプ装置。
【請求項３】
前記スペーサに一体に固定されるインデューサと、
前記スペーサを、前記回転軸に対して一体に回転可能に固定する固定構造と
を具備することを特徴とする請求項１または２に記載のポンプ装置。
【発明の詳細な説明】
【技術分野】
【０００１】
本発明は、羽根車の回転によって、例えば水などの流体を増圧するポンプ装置に関する。
【背景技術】
【０００２】
例えば水を増圧するポンプ装置は、水を増圧するポンプと、軸封部と、ポンプを駆動する電動モータとを有している。ポンプは、具体的には、回転軸と、回転軸に着脱可能に取り付けられる羽根車と、羽根車を収容するポンプ室とを有している。羽根車は、その内側に、回転軸を挿通する挿通孔が形成されている。ポンプ室には、吸込口と、吐出口とが設けられている。回転軸は、電動モータの回転子に固定されており、電動モータと一体に構成されている。回転軸は、電動モータによって回転される。軸封部は、ポンプ室を内部に形成するポンプケーシングと回転軸との間を液密にシール可能に形成されている。軸封部として、例えばメカニカルシールが用いられている。
【０００３】
回転軸の一端部には、固定用ナットが螺合可能に形成される雄ねじ部が設けられている。羽根車において軸封部側の端部には、軸封部を支持する座部が設けられている。回転軸において羽根車が取り付けられる部分、言い換えると、回転軸において羽根車の挿通孔内に収容される部分は、羽根車が固定用ナットと軸封部との間で挟持される長さを有している。固定用ナットと軸封部との間に羽根車が挟持されることによって、羽根車が回転軸に沿って移動することが防止される。
【０００４】
この種のポンプ装置では、羽根車の形状と数とは、ポンプ装置に求められる性能に応じて決定される。回転軸において羽根車が取り付けられる部分の長さは、予め決定されている羽根車を必要な数だけ最大で取り付け可能な長さを有している。この為、回転軸は、ポンプ装置に特有の長さを有するようになる。
【先行技術文献】
【特許文献】
【０００５】
【特許文献１】特許第５４３３３３５号
【発明の概要】
【発明が解決しようとする課題】
【０００６】
上述したように、回転軸が電動モータに固定されて一体に構成されるポンプ装置では、以下の問題があった。すなわち、回転軸がポンプ装置に特有の長さを有するとともに、電動モータに固定されることによって、回転軸と電動モータとの一体物を他の種類のポンプ装置に用いることができない。
【０００７】
この為、異なる種類のポンプを製造する場合には、このポンプ装置に特有の長さを有する回転軸と電動モータとの一体物を新たに製造する必要がある。つまり、ある特定のポンプ装置用に製造された回転軸と電動モータとの一体物が在庫にあっても、他の種類のポンプ装置には、これを用いることができない。電動モータは高価であるため、新たに回転軸と電動モータとの一体物を製造することによって、ポンプ装置のコストが高くなる傾向にある。
【０００８】
本発明は、製造コストを削減できるポンプ装置を提供することを目的とする。
【課題を解決するための手段】
【０００９】
本発明のポンプ装置は、一端部に設けられる固定部と、前記固定部に隣接して他端側に設けられる羽根車取付部とを具備する回転軸と、前記羽根車取付部に取り付けられる羽根車と、前記固定部に固定される抜け止め部材と、前記羽根車取付部において前記羽根車に対して前記固定部側に取り付けられるスペーサであって、前記抜け止め部材と前記羽根車との間に挟持されて前記羽根車を前記羽根車取付部の所定位置に位置決めする長さを有するスペーサと、前記回転軸の他端部に固定されて前記回転軸をその軸心線回りに回転する駆動装置とを備える。
【００１０】
他の本発明のポンプ装置は、一端部に設けられる固定部と、前記固定部に対して他端側に設けられる羽根車取付部とを具備する回転軸と、前記羽根車取付部に取り付けられる羽根車と、前記固定部に固定される被固定部と、前記被固定部と一体に形成されるとともに前記羽根車取付部において前記羽根車に対して前記固定部側に取り付けられて前記羽根車を前記羽根車取付部の所定位置に位置決めする長さを有するスペーサとを具備する固定用スペーサと、前記回転軸の他端部に固定されて前記回転軸をその軸心線回りに回転する駆動装置とを備える。
【発明の効果】
【００１１】
本発明によれば、製造コストを削減できるポンプ装置を提供できる。
【図面の簡単な説明】
【００１２】
【図１】本発明の第１の実施形態に係るポンプ装置を示す断面図。
【図２】同ポンプ装置のポンプを拡大して示す断面図。
【図３】本発明の第２の実施形態に係るポンプ装置を示す断面図。
【図４】本発明の第３の実施形態に係るポンプ装置を示す断面図。
【発明を実施するための形態】
【００１３】
本発明の一実施形態に係るポンプ装置を、図１〜３を用いて説明する。図１は、本実施形態のポンプ装置１０を示す断面図である。ポンプ装置１０は、増圧する流体の一例である水を、吸込口３１から吸い込んで増圧した後、吐出口３２から吐出可能に構成されている。
【００１４】
図１に示すように、ポンプ装置１０は、インペラ（羽根車）４１を有してこのインペラ４１の回転によって水を増圧可能に構成されるポンプ２０と、インペラ４１が固定される回転軸６０と、回転軸６０を回転可能に構成される電動モータ（駆動装置）７０とを有している。
【００１５】
電動モータ７０は、外部電源から供給される電力によって、回転軸６０を回転可能に構成されている。具体的には、電動モータ７０は、電動モータケース７１と、電動モータケース７１内に収容されて電動モータケース７１に固定される固定子７２と、固定子７２の内側に収容されて回転可能に電動モータケース７１に支持される回転子７３とを有している。電動モータ７０に電力が供給されると、回転子７３が回転する。
【００１６】
回転軸６０の一端側は、ポンプ２０内に収容されている。回転軸６０の他端部は、電動モータ７０の回転子７３に固定されている。回転軸６０は、その軸心線Ｃが回転子７３の回転軸と同軸となるように配置されている。この為、電動モータ７０が駆動されて回転子７３が回転すると、回転軸６０は、その軸心線Ｃ回りに回転する。
【００１７】
ポンプ２０は、吸込口３１と吐出口３２とを有するポンプケーシング３０と、ポンプケーシング３０内に収容されて回転軸６０に設けられるポンプ部４０と、ポンプケーシング３０と回転軸６０との間隙を液密にシールするメカニカルシール（軸封部）５６とを有している。
【００１８】
また、ポンプ２０は、回転軸６０とポンプ部４０との間隙に設けられるスリーブ８２及びキー８１と、回転軸６０からポンプ部４０が抜けることを防止する固定用ナット（抜け止め部材）９０及び座金（抜け止め部材）９１と、回転軸６０におけるポンプ部４０の位置決めを行うスペーサ１００とを有している。
【００１９】
ポンプケーシング３０は、吸込口３１と、吐出口３２と、ドレン３３と、設置部３４とを有している。ポンプケーシング３０内には、複数のポンプ部４０を収納可能な収納空間、つまり、ポンプ室が形成されている。
【００２０】
本実施形態では、ポンプ装置１０は、一例として、２つのポンプ部４０を有している。言い換えると、ポンプ装置１０は、２段式である。この為、ポンプケーシング３０は、内部に、最大で２つのポンプ部４０を収容可能な大きさを有している。なお、ポンプ部４０の数は、ポンプ装置１０に求められる性能によって決定される。そして、ポンプケーシング３０は、必要な数のポンプ部４０を収容可能な大きさを有する。
【００２１】
ポンプケーシング３０は、一部が開口する第１のケース３５と、第１のケース３５の開口を閉塞する第２のケース３６とを有している。第１のケース３５は、略筒状に形成され、一方の側部が開口している。
【００２２】
第１のケース３５は、開口からポンプ部４０を挿入可能、且つ、その内部にポンプ部４０を収納可能に形成されている。また、第１のケース３５は、他方の側部の略中心に吸込口３１が形成されている。吸込口３１は、ポンプ部４０がＯリング等のパッキンＰを介して係合（当接）可能に形成されている。第１のケース３５は、その外周部に、吐出口３２と、ドレン３３と、設置ベースにボルト等の固定部材で固定される設置部３４とが形成されている。吐出口３２は、ポンプ部４０によって増圧された水を吐出可能に形成されている。
【００２３】
ドレン３３は、例えば、第１のケース３５の他方の側部であって、ポンプケーシング３０の内部空間の下方と連続して形成されている。また、ドレン３３は、プラグ３７が着脱可能に取り付けられており、プラグ３７によって閉塞されている。プラグ３７を取り外すと、ポンプケーシング３０内の水を、ドレン３３を通して排水可能となる。
【００２４】
第２のケース３６は、第１のケース３５の開口を閉塞可能に形成されている。また、第２のケース３６は、回転軸６０を挿通させる挿通孔３８と、挿通孔３８の内周面に設けられ、メカニカルシール５６の一端を支持して固定するシール溝３９とを有している。
【００２５】
回転軸６０の一端側の部分６１は、ポンプケーシング３０内に収容されている。回転軸６０の一端部には、固定部６２が形成されている。回転軸６０の部分６１には、固定部６２から他端側に向かって、順番に、インペラ取付部（羽根車取付部）６４と、メカニカルシール取付部６５とが形成されている。インペラ取付部６４は、固定部６２に隣接している。メカニカルシール取付部６５は、インペラ取付部６４に隣接している。
【００２６】
固定部６２の一端からインペラ取付部６４の近傍までの範囲は、雄ねじが形成される雄ねじ部６６となっている。固定部６２においてインペラ取付部６４側の端部には、雄ねじは形成されていない。
【００２７】
メカニカルシール取付部６５は、メカニカルシール５６が取り付け可能に形成されている。インペラ取付部６４は、ポンプ部４０を回転軸６０の軸心線Ｃに沿って最大で３つ並べて取り付けることが可能な長さを有している。言い換えると、インペラ取付部６４の回転軸６０の軸心線Ｃに沿う長さは、ポンプ部４０の回転軸６０の軸心線Ｃに沿う幅の略３倍の長さを有している。
【００２８】
回転軸６０の部分６１は、メカニカルシール取付部６５、インペラ取付部６４、固定部６２の順番に、縮径する形状である。なお、メカニカルシール取付部６５の軸心線Ｃ方向に垂直な断面は、軸心線Ｃ方向に一定の形状であり、インペラ取付部６４の軸心線Ｃ方向に垂直な断面は、軸心線Ｃ方向に一定の形状であり、固定部６２の軸心線Ｃに垂直な断面は、軸心線Ｃ方向に略一定の形状である。メカニカルシール取付部６５の径は、インペラ取付部６４の径よりも大きい。インペラ取付部６４の径は、固定部６２の径よりも大きい。
【００２９】
図２は、ポンプ２０を拡大して示す断面図である。なお、図２は、ポンプ２０を、回転軸６０の軸心線Ｃに沿って切断した状態を示している。図２に示すように、ポンプ部４０は、本実施形態では、２つ用いられる。これら２つのポンプ部４０は、インペラ取付部６４に、回転軸６０の軸心線Ｃに沿って並んで設けられている。各ポンプ部４０は、回転軸６０に固定されるインペラ４１と、インペラ４１を収納し、ポンプ部４０の一次側から二次側への水の流路を形成する案内部４２とを有している。
【００３０】
インペラ４１は、回転軸６０と一体に回転するように、キー８１を介して回転軸６０に固定可能に形成されている。インペラ４１は、回転することで、その中心側から水を吸い込むとともに、その外周側から水を増圧して吐出可能に形成されている。
【００３１】
インペラ４１は、回転軸６０に固定され、複数の羽根４３を有する第１のシュラウド４４と、第１のシュラウド４４と対向して設けられ吸込口３１側に開口する吸込孔４５を有する第２のシュラウド４６とを有している。
【００３２】
第１のシュラウド４４は、その中心に、回転軸６０を挿通させるとともに、その内周面の一部にキー溝を有する開口部４４ａを有している。第１のシュラウド４４は、開口部４４ａに回転軸６０が挿入されるとともに、キー８１がそのキー溝に嵌合されることで、回転軸６０の回転と一体に回転可能に回転軸６０に固定される。
【００３３】
なお、メカニカルシール５６に隣接して配置されるポンプ部４０のインペラ４１の第１のシュラウド４４は、回転軸６０のインペラ取付部６４においてメカニカルシール取付部６５側の一端に配置されている。
【００３４】
メカニカルシール取付部６５側に配置されるポンプ部４０の第１のシュラウド４４は、その外面に、メカニカルシール５６の他端部、言い換えると、シール溝３９に支持される端部に対して反対側の端部を支持する座部５が形成されている。
【００３５】
第２のシュラウド４６は、第１のシュラウド４４に羽根４３を介して固定されている。第２のシュラウド４６は、その中心が第１のシュラウド４４に対して離間する方向に突出するとともに、吸込孔４５を形成する突出部４７を有している。第２のシュラウド４６は、この突出部４７により、ポンプケーシング３０の吸込口３１と吐出口３２との間の流路を構成している。
【００３６】
案内部４２は、その一方の端部が開口することで、内部にインペラ４１を収納可能に形成される外囲部４８と、外囲部４８内に収納したインペラ４１の二次側に対向する外囲部４８の内面に設けられ、インペラ４１から吐出された水を二次側へと移動させる流路を形成する複数の第１の案内羽根４９及び第２の案内羽根５３を有している。
【００３７】
外囲部４８は、その一方の端部が二次側に設けられる外囲部４８又は第２のケース３６と係合可能に形成されている。また、外囲部４８は、他方の端部に底部５０が設けられている。底部５０の中心側には、第２のシュラウド４６の突出部４７が挿入される挿入孔５１が形成されている。
【００３８】
なお、外囲部４８は、ポンプケーシング３０の吸込口３１または一次側の外囲部４８に係合する係合部５２を有している。第２の案内羽根５３は、底部５０の外面に平行な板部５４を有している。即ち、第２の案内羽根５３は、板部５４の外周側から中心側に向って複数の流路を形成している。なお、板部５４は、その中心に貫通孔５５が形成されている。
【００３９】
このように、案内部４２は、外囲部４８により、その一次側からインペラ４１を介してその二次側へ水の流路を形成する。
【００４０】
キー８１は、一対用いられる。各キー８１は、回転軸６０のインペラ取付部６４に固定される。スリーブ部８２は、回転軸６０に挿入され、その内周面にキー８１と嵌合するキー溝を有する。
【００４１】
回転軸６０の周面において、回転軸６０の軸心線Ｃ回りに互いに１８０度ずれた２箇所には、キー溝６０ａが形成されている。キー溝６０ａは、回転軸６０の軸心線Ｃに沿って、インペラ取付部６４のメカニカルシール取付部６５側の端から、固定部６２側の端まで延びている。
【００４２】
キー８１は、その一部が回転軸６０に設けられたキー溝６０ａに嵌合される。また、キー８１は、その他部が、第１のシュラウド４４のキー溝４４ｂ、及び、スリーブ部８２のキー溝８２ａに嵌合される。この為、キー８１は、第１のシュラウド４４とスリーブ部８２とを回転軸６０の回転方向に対して回転軸６０に固定する。つまり、第１のシュラウド４４とスリーブ部８２とは、回転軸６０と一体に回転する。
【００４３】
スリーブ部８２は、円筒状に形成されている。スリーブ部８２は、その内径が、回転軸６０のインペラ取付部６４の外径と略同一に形成されており、キー８１をそのキー溝８２ａに嵌合させることで、回転軸６０に固定される。
【００４４】
スリーブ部８２は、板部５４の貫通孔５５内に挿通され、貫通孔５５の内周面と摺動又は所定の隙間を有して、板部５４に対して相対的に回転可能に形成されている。即ち、スリーブ部８２は、第２の案内羽根５３の板部５４にそれぞれ設けられる。
【００４５】
このため、スリーブ部８２は、固定部６２側に配置されるポンプ部４０のインペラ４１とメカニカルシール取付部６５側に配置されるポンプ部４０のインペラ４１との間に挟持される。
【００４６】
上述したように、回転軸６０のインペラ取付部６４は、回転軸６０の軸心線Ｃに沿って、最大で３つのポンプ部４０を取り付け可能な長さを有している。この為、本実施形態では、インペラ取付部６４においてポンプ部４０が設置されていない部分は、回転軸６０の軸心線Ｃに沿って略１つ分のポンプ部４０の長さとなる。
【００４７】
スペーサ１００は、内部にインペラ取付部６４を収容可能に形成される筒状部材である。スペーサ１００の回転軸６０の軸心線Ｃに沿う長さは、略１つ分のポンプ部４０の回転軸６０の軸心線Ｃに沿う長さである。スペーサ１００の長さについては、後で具体的に説明する。スペーサ１００の内周面には、キー８１が嵌合可能に形成されるキー溝１００ａが形成されている。このキー溝１００ａは、回転軸６０の軸心線Ｃに沿って、スペーサ１００の一端から他端まで延びている。スペーサ１００は、そのキー溝１００ａにキー８１が嵌合するように、内部にインペラ取付部６４が挿通される。
【００４８】
メカニカルシール５６は、回転軸６０のメカニカルシール取付部６５を内部に収容した状態で、メカニカルシール取付部６５に固定されている。また、メカニカルシール５６は、ポンプケーシング３０の第２のケース３６のシール溝３９に収容されて固定されている。
【００４９】
ここで、回転軸６０のインペラ取付部６４における２つのポンプ部４０の位置について、説明する。２つのポンプ部４０のうち、メカニカルシール取付部６５側に配置されるポンプ部４０は、その第１のシュラウド４４がメカニカルシール５６に接触することによってメカニカルシール５６の端部を支持する位置に配置される。
【００５０】
固定部６２側に配置されるポンプ部４０が配置される位置は、その外囲部４８がメカニカルシール取付部６５側に配置されるポンプ部４０の外囲部４８に連結されることによって、固定部６２側のポンプ部４０から吐出された水が案内部４２によってメカニカルシール取付部６５側のポンプ部４０に導かれる位置であって、かつ、外囲部４８の係合部５２がポンプケーシング３０の吸込口３１の縁部に当接する位置である。
【００５１】
２つのポンプ部４０が上記のように配置されることによって、２つのインペラ４１の間にスリーブ部８２が挟持される。上記ポンプ部４０の位置、つまりインペラ４１の位置は、所定位置の一例である。このように所定位置は、インペラ４１が固定されるべき位置であって、予め決定されている。
【００５２】
固定用ナット９０は、一例としてダブルナットである。固定用ナット９０は、回転軸６０の雄ねじ部６６に螺合することによって、固定される。固定用ナット９０と座金９１とは、抜け防止部材の一例を構成する。
【００５３】
スペーサ１００は、回転軸６０のインペラ取付部６４において固定部６２とポンプ部４０との間の部分を内部に収容する。ここで、スペーサ１００の、回転軸６０の軸心線Ｃに沿う長さについて、説明する。
【００５４】
スペーサ１００は、固定用ナット９０によって締め付けられることによって、固定部６２側に配置されるポンプ部４０のインペラ４１の第１のシュラウド４４と座金９１との間に挟持されることが可能な長さを有している。上述のように、インペラ取付部６４においてポンプ部４０が取り付けられていない部分の長さは、１つ分のポンプ部４０の長さが余っている状態であるため、本実施形態では、スペーサ１００は、回転軸６０の軸心線Ｃに沿うポンプ部４０の長さ、または、回転軸６０の軸心線Ｃに沿うポンプ部４０の長さよりも若干長い長さを有している。
【００５５】
回転軸６０の軸心線Ｃに沿う長さよりも長いことによって、スペーサ１００の固定部６２側の一端は、インペラ取付部６４を越えて、固定部６２内に突出するようになる。スペーサ１００の一端が固定部６２内に突出することによって、座金９１が確実にスペーサ１００に接触することができるようになる。
【００５６】
スペーサ１００が、固定部６２側に配置されるポンプ部４０の第１のシュラウド４４と座金９１との間に挟持されることによって、２つのインペラ４１と、これら２つのインペラ４１間に配置されるスリーブ部８２と、スペーサ１００とが、座金９１とメカニカルシール５６との間に挟持される。この為、回転軸６０に沿ってインペラ４１を移動可能とする隙間がスペーサ１００によって埋められるので、２つのポンプ部４０の、回転軸６０に沿う移動が防止される。つまり、スペーサ１００は、インペラ４１を、所定の位置に位置決めする機能を有する。また、スペーサ１００は、固定用ナット９０による締めつけ力を、インペラ４１に伝達する機能を有する。
【００５７】
このように構成されたポンプ装置１０によれば、ポンプ装置１０の製造コストを削減することができる。この効果について具体的に説明する。本実施形態では、回転軸６０のインペラ取付部６４は、回転軸６０の軸心線Ｃ方向に最大で３つのポンプ部４０を取り付け可能な長さを有している。
【００５８】
この為、電動モータ７０と回転軸６０との一体物は、ポンプ装置１０とは異なる種類となる、３つのポンプ部４０を備えるポンプ装置に対しても用いることが可能となる。なお、回転軸６０と電動モータ７０との一体物を、３つのポンプ部４０を有するポンプ装置に用いる場合は、スペーサ１００を用いる必要はない。
【００５９】
インペラ取付部６４に３つのポンプ部４０を取り付けることによって、メカニカルシール取付部６５に隣接するポンプ部４０がメカニカルシール５６を支持した状態で、これら３つのポンプ部４０が座金９１とメカニカルシール５６との間に挟持される。このことによって、３つのポンプ部４０の回転軸６０の軸心線Ｃ方向の位置が固定される。
【００６０】
このように、電動モータ７０と回転軸６０との一体物を、ポンプ部４０を２つ備えるポンプ装置１０と、ポンプ装置１０に対して異なる種類となる、３つのポンプ部４０を備えるポンプ装置とに対して、共通して用いることができる。
【００６１】
言い換えると、スペーサ１００を用いることによって、最大で３つのポンプ部４０を取り付けることが可能な回転軸６０と電動モータ７０との一体物を、２つのポンプ部４０を有するポンプ装置１０に用いることができる。
【００６２】
この為、最大で３つのポンプ部４０を取り付け可能な長さを有するインペラ取付部６４を有する回転軸６０と電動モータ７０との一体物と、この一体物とは別に、最大で２つのポンプ部４０を取り付け可能な長さを有するインペラ取付部を有する回転軸と電動モータとの一体物とを、それぞれ製造する必要がない。つまり、１種類の、回転軸６０と電動モータ７０との一体物を製造するだけでよいので、ポンプ装置１０の製造コストを削減することができる。
【００６３】
また、他の例として、ポンプ部として１つのポンプ部４０のみ収容可能なポンプ装置に対しては、２つ分のポンプ部４０の隙間を埋める長さを有するスペーサを用いることによって、最大で３つのポンプ部４０を取り付け可能な長さを有するインペラ取付部６４を有する回転軸６０と電動モータ７０との一体物を、１つのポンプ部４０を有するポンプ装置にも用いることができる。
【００６４】
さらに、ポンプ部４０とは異なる種類のポンプ部を用いるポンプ装置に対しても、回転軸６０と電動モータ７０との一体物を共通して用いることができる。この点について説明する。ここで言う異なる種類のポンプ部とは、回転軸６０の軸心線Ｃに沿う幅が、ポンプ部４０の回転軸６０の軸心線Ｃに沿う幅とは異なるポンプ部である。
【００６５】
なお、本実施形態では、多段式であるため、ポンプ部４０は、二次側のポンプ部４０に水を案内する案内部４２を有して構成されている。例えば、ポンプ部４０を１つのみ備える構造では、案内部を備える必要がない場合がある。この場合は、ポンプ部４０は、案内部を含めず、インペラ４１のみとなる。
【００６６】
このように、回転軸６０の軸心線Ｃに沿う厚みが異なるポンプ部を有するポンプ装置に対しても、ポンプ部が回転軸６０において位置すべき位置から移動することを防止するスペーサを用いることによって、回転軸６０と電動モータ７０との一体物を共通して用いることができる。
【００６７】
このように、予め、回転軸６０の軸心線Ｃに沿うインペラ取付部６４の長さを長めに設けるとともに、この回転軸６０を用いた場合に生じるインペラ取付部６４の余り部分、言い換えるとポンプ部４０（インペラ４１のみを有する場合はインペラ４１）が配置されない部分を埋める長さを有するスペーサを用いることによって、回転軸６０と電動モータ７０との一体物を、複数種類のポンプ装置で共通して用いることができるので、ポンプ装置１０の製造コストを削減することができる。
【００６８】
なお、本実施形態では、インペラ４１が回転軸６０から抜け出ることを防止する抜け止め部材の一例として、固定用ナット９０と座金９１とが用いられている。抜け止め部材は、固定部６２に対して径方向外側に突出する部分を有する。この突出する部分をスペーサに接触させることによって、スペーサが抜け出ることを防止する。
【００６９】
次に、本発明の第２の実施形態に係るポンプ装置１０Ｂを、図３を用いて説明する。なお、第１の実施形態と同様の機能を有する構成は、第１の実施形態と同一の符号を付して説明を省略する。本実施形態では、固定用ナット９０とスペーサ１００とに代えて、固定用スペーサ１１０が用いられる点が、第１の実施形態に対して異なる。他の構造は、第１の実施形態と同じである。
【００７０】
図３は、本実施形態のポンプ装置１０Ｂを示す断面図である。図３に示すように、本実施形態では、第１の実施形態で用いられた固定用ナット９０とスペーサ１００とに代えて、固定用スペーサ１１０を有している。
【００７１】
固定用スペーサ１１０は、雄ねじ部６６に螺合可能に形成されるナット部１１１と、内部にインペラ取付部６４を収容可能なスペーサ部（スペーサ）１１２とを有している。固定用スペーサ１１０は、筒状に形成されており、一端部にナット部１１１が形成され、残りの部分にスペーサ部１１２が形成されている。つまり、ナット部１１１とスペーサ部１１２とが一体に形成されている。
【００７２】
ナット部１１１は、第１の実施形態で説明した固定用ナット９０と同様の機能を有している。スペーサ部１１２は、第１の実施形態で説明したスペーサ１００と同様の機能を有している。言い換えると、固定用スペーサ１１０は、固定用ナット９０とスペーサ１００とが一体となった構成である。
【００７３】
本実施形態では、第１の実施形態と同様の効果が得られる。さらに、固定用スペーサ１１０を用いることによって、固定用ナット９０とスペーサ１００とを用いる構成に対して部品点数を削減できるので、ポンプ装置１０の製造コストを削減することができる。
【００７４】
次に、本発明の第３の実施形態に係るポンプ装置１０Ｃを、図４を用いて説明する。なお、第１の実施形態と同様の機能を有する構成は、第１の実施形態と同一の符号を付して説明を省略する。
【００７５】
図４は、本実施形態のポンプ装置１０Ｃを示す断面図である。図４に示すように、本実施形態では、スペーサ１００にインデューサ１２０が一体に形成されている。他の構造は、第１の実施形態と同じである。スペーサ１００の内周面には、回転軸６０に固定されるキー８１が嵌合するキー溝１００ａが形成されている。スペーサ１００は、キー８１がキー溝１００ａ内に嵌合することによって、回転軸６０と一体に回転する。
【００７６】
この為、インデューサ１２０は、回転軸６０と一体に回転する。本実施形態では、第１の実施形態と同様の効果が得られる。さらに、スペーサ１００を利用してインデューサ１２０設けることによって、ポンプ装置１０の吸い込み性能を向上することができる。
【００７７】
なお、第２の実施形態で説明した固定用スペーサ１１０のスペーサ部１１２に、本実施形態で説明したインデューサ１２０が設けられてもよい。固定用スペーサ１１０のスペーサ部１１２の内周面にも、回転軸６０に固定されるキー８１が嵌合するキー溝１１２ａが形成されている。キー８１がキー溝１１２ａに嵌合することによって、固定用スペーサ１１０は、回転軸６０と一体に回転する。
【００７８】
この為、第２の実施形態で説明した固定用スペーサ１１０のスペーサ部１１２にインデューサ１２０を設けることによって、インデューサ１２０が回転軸６０と一体に回転するようになるので、第３の実施形態と同様の効果が得られる。
【００７９】
回転軸６０のキー溝６０ａと、キー８１と、スペーサ１００のキー溝１００ａとは、スペーサ１００を、回転軸６０に対して一体に回転可能に固定する固定構造の一例を構成している。同様に、回転軸６０のキー溝６０ａと、キー８１と、固定用スペーサ１１０のスペーサ部１１２のキー溝１１２ａとは、スペーサ部１１２を、回転軸６０に対して一体に回転可能に固定する固定構造の一例を構成している。
【００８０】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。さらに、異なる実施形態の構成を組み合わせてもよい。
【符号の説明】
【００８１】
１０…ポンプ装置、４１…インペラ（羽根車）、６０…回転軸、６０ａ…キー溝（固定構造）、６２…固定部、６４…インペラ取付部（羽根車取付部）、７０…電動モータ（駆動装置）、８１…キー（固定構造）、９０…固定用ナット（抜け止め部材）、９１…座金（抜け止め部材）、１００…スペーサ、１００ａ…キー溝（固定構造）、１１０…固定用スペーサ、１１２…スペーサ部（スペーサ）、１１２ａ…キー溝（固定構造）、１２０…インデューサ。
【図１】
2016037936.tif 000003
【図２】
2016037936.tif 000004
【図３】
2016037936.tif 000005
【図４】
2016037936.tif 000006